(57)【要約】【課題】本発明は釣り用バケツに関し、撒き餌入れとしての使用時に直ぐに柄杓が使えるようにこれを柄杓保持具で保持し、また、釣り具入れとしての使用時に柄杓保持具が邪魔にならない釣り用バケツを提供することを目的とする。【解決手段】請求項１に係る発明は、上部が開口するバケツ本体と、当該バケツ本体の開口部を開閉自在に覆う蓋体とからなるバケツに於て、上記バケツ本体の内側に、バケツ本体の内方へ突出し、柄杓の柄を差し込む切欠きを有する柄杓保持具を設けると共に、当該柄杓保持具を、バケツ本体の内側に沿って折り曲げ可能としたことを特徴とする。そして、請求項２に係る発明は、請求項１記載のバケツに於て、柄杓保持具近接のバケツ本体の開口部の周縁部に、柄杓の柄を差し込む切欠きを設けたことを特徴とする。【選択図】      図３
2004290004.tif 000002
【特許請求の範囲】
【請求項１】
上部が開口するバケツ本体と、当該バケツ本体の開口部を開閉自在に覆う蓋体とからなる釣り用バケツに於て、
上記バケツ本体の内側に、バケツ本体の内方へ突出し、柄杓の柄を差し込む切欠きを有する柄杓保持具を設けると共に、当該柄杓保持具を、バケツ本体の内側に沿って折り曲げ可能としたことを特徴とする釣り用バケツ。
【請求項２】
柄杓保持具近接のバケツ本体の開口部の周縁部に、柄杓の柄を差し込む切欠きを設けたことを特徴とする請求項１記載の釣り用バケツ。
【発明の詳細な説明】
【０００１】
【発明の属する技術分野】
本発明は、釣り具入れや撒き餌入れ等に使用される釣り用バケツに関する。
【０００２】
【従来の技術】
従来、釣り具入れや撒き餌入れに使用される釣り用バケツ（以下、「バケツ」という）は、柔軟性，防水性を有する合成樹脂シートで成形されて上方が開口する箱状のバケツ本体と、同じく柔軟性，防水性を有する合成樹脂シートで成形されてバケツ本体の開口部を覆う蓋体と、バケツを運搬するためのハンドルやベルトとからなるものが広く知られており、通常、蓋体はその周縁部がバケツ本体の開口部に沿ってファスナ等で止着できるようになっている。
【０００３】
そして、この種のバケツは、撒き餌入れとして使用する場合、いつでも柄杓で撒き餌が掬えるように釣りをしている最中は足元に置いて使用することが多く、蓋体を半折りしてバケツを半開状態で使用したり、蓋体を全開してバケツを全開状態で使用できる構成が一般的である。
ところで、撒き餌の投入は釣りをし乍ら行うため、直ぐに柄杓の柄を握って撒き餌を撒くことができるようにしておくことが好ましく、従来、特許文献１に開示されるように蓋体を開いてバケツ本体の縁に柄杓を立て掛けたり、特許文献２に開示されるように別体の柄杓保持具をバケツ本体の縁に取り付けてこれに柄杓を立て掛けておく等の方法が採られている。
【０００４】
また、特許文献３には、図８乃至図１０に示すようにバケツ本体１と、その上部の開口部を開閉可能に覆う蓋体３との間に、バケツ本体１の一側に固定される固定蓋５と、当該固定蓋５に屈折部７を介してバケツ本体１に対し自由に開閉する可動蓋９とからなる補助蓋１１を介装して、可動蓋９の横幅の略中央部に柄杓１３を嵌挿可能とする切欠き部１５を設けると共に、可動蓋９を剛性蓋体で成形して、柄杓１３の持ち上げ操作で屈折部７を支点に可動蓋９を開動可能としたバケツ１７が開示されている。
【０００５】
【特許文献１】
実用新案登録第３００４５５７号公報（第１頁−第２頁、図３）
【特許文献２】
実開平７−３９４５１号公報（第１頁−第２頁、図１）
【特許文献３】
特開平１０−２４８４６３号公報（段落番号「０００８」〜「００２１」、図３）
【０００６】
【発明が解決しようとする課題】
しかし乍ら、蓋体を開いてバケツ本体の縁に柄杓を立て掛けておくと、風で柄杓が移動してしまったりバケツ本体内に倒れて直ぐに使用することができず、使い勝手が悪いのが実情であった。
【０００７】
また、特許文献２に開示された柄杓保持具をバケツ本体の縁に取り付けて使用すると、柄杓保持具がバケツ本体の内周面から突出するため、バケツ本体内に物を入れて持ち運ぶ際に邪魔になっていた。
更にまた、柄杓保持具をバケツ本体から取り外すと、釣場に柄杓保持具を持参するのを忘れてしまったり、使用中、柄杓の抜き取りと同時に柄杓保持具が外れて海中に落としてしまう等の不具合があった。
【０００８】
一方、特許文献３に開示されたバケツは、可動蓋の開動を柄杓で迅速に行うことができる反面、可動蓋を開いた状態での柄杓の保持手段がないため、可動蓋を開け、バケツを足元に置いて必要に応じ柄杓で撒き餌を掬って投入する際に、従来と同様、柄杓をバケツ本体の縁に立て掛けておかなければならず、また、柄杓を切欠き部で保持させるには、逐一可動蓋を閉じなければならない欠点があった。
【０００９】
本発明は斯かる実情に鑑み案出されたもので、撒き餌入れとしての使用時に直ぐに柄杓が使えるようにこれを柄杓保持具で保持し、また、釣り具入れとしての使用時に柄杓保持具が邪魔にならないバケツを提供することを目的とする。
【００１０】
【課題を解決するための手段】
斯かる目的を達成するため、請求項１に係る発明は、上部が開口するバケツ本体と、当該バケツ本体の開口部を開閉自在に覆う蓋体とからなるバケツに於て、上記バケツ本体の内側に、バケツ本体の内方へ突出し、柄杓の柄を差し込む切欠きを有する柄杓保持具を設けると共に、当該柄杓保持具を、バケツ本体の内側に沿って折り曲げ可能としたことを特徴とする。
【００１１】
そして、請求項２に係る発明は、請求項１記載のバケツに於て、柄杓保持具近接のバケツ本体の開口部の周縁部に、柄杓の柄を差し込む切欠きを設けたことを特徴とする。
【００１２】
（作用）
請求項１に係る発明によれば、撒き餌入れとしての使用時に、柄杓保持具の切欠きによって柄杓が保持される。そして、釣り具入れとして使用する場合、柄杓保持具をバケツ本体の内側に沿って折り曲げておけば、釣り具の出し入れの際に柄杓保持具が邪魔になることがない。
【００１３】
また、請求項２に係る発明によれば、バケツ本体側の切欠きと柄杓保持具側の切欠きに差し込めば、柄杓がより確実に保持される。
そして、バケツ本体側の切欠きに柄を通して、柄杓をバケツ本体の左右方向に水平または底面方向へ斜めにして蓋体を閉じれば、柄杓を差し込んだままバケツが持ち運べることとなる。
【００１４】
【発明の実施の形態】
以下、本発明の実施形態を図面に基づいて詳細に説明する。
図１乃至図５は請求項１及び請求項２の第一実施形態に係るバケツを示し、図１に於て、２１はエチレン酢酸ビニル，塩化ビニル等の柔軟な合成樹脂シートの端部を溶着や接着等で接合して成形した防水性を有するバケツ本体で、図２に示すようにバケツ本体２１は箱状に成形されて上部に開口部２３が開口し、当該開口部２３の一側に、バケツ本体２１と同一材料で成形された蓋体２５が、同じく合成樹脂シートからなるヒンジ部材２７を介して連結されている。
【００１５】
また、一対の運搬用のハンドル２９がバケツ本体２１の前側面３１と後側面３３の外周に取り付けられているが、バケツ本体２１の側面上部、即ち、前後側面３１，３３と左右側面３５，３７を構成する合成樹脂シートの上部は、図３に示すように外側に折り返されて開口部２３の周縁部３９を形成しており、夫々の折返し片４１は、端部を除き各側面３１，３３，３５，３７の外側に、金属や合成樹脂で成形された平面視矩形状のフレーム４３を挟んでウエルダ加工により接合されている。
【００１６】
従って、開口部２３の周縁部３９は、材料自体の特性により可撓性，柔軟性を有している。
そして、各折返し片４１の端部と、蓋体２５の周縁部との間にファスナ４５のテープ４７が縫着されており、ファスナ４５の操作部４９をヒンジ部材２７まで移動させると蓋体２５が全開し、また、図２に示すように操作部４９をハンドル２９まで移動させて蓋体２５を半折りすると、半開状態でバケツ５１が使用できるが、図１及び図３に示すように蓋体２５の表面側の中央には、前側面３１から後側面３３方向に折り溝５３が形成されており、蓋体２５は当該折り溝５３部分が薄肉となっている。
【００１７】
このため、上記折り溝５３を折り目として、蓋体２５の反ヒンジ部材２７側の一方側（以下、「可動蓋」という）２５ａが、ヒンジ部材２７側の他方側（以下、「固定蓋」という）２５ｂへ容易に谷折りできるようになっている。
そして、可動蓋２５ａを開いた状態でこれを保持する保持具として、可動蓋２５ａと固定蓋２５ｂの表面にフック５５，５７が止着されており、折り溝５３に沿って可動蓋２５ａを固定蓋２５ｂ側に折り曲げてフック５５をフック５７に係合すれば、図２に示すように固定蓋２５ｂ上に可動蓋２５ａが保持されてバケツ５１が半開状態となる。
【００１８】
また、図１及び図２に示すように可動蓋２５ａの周縁部には、可動蓋２５ａを開口部２３に被せた際（蓋体２５の閉鎖時）に、バケツ本体２１（前後側面３１，３３と左側面３５）の上部外周を覆う壁部（以下、「スカート部」という）５９が当該外周に沿って延設されており、前，後側面３１，３３と左側面３５の折返し片４１は、当該スカート部５９の形状に沿って裁断されてその端部にファスナ４５が取り付き、また、蓋体２５側も、固定蓋２５ｂの端部からスカート部５９の端部に亘ってファスナ４５が屈曲し乍ら取り付けられている。
【００１９】
そして、本実施形態に係るバケツ５１は、上述の如き構成に加え、反ヒンジ部材２７側に位置する左側面３５の周縁部３９近傍の内側中央に、柄杓保持具６１を取り付けたことを特徴とする。このように開口部２３に近い左側面３５の内側に柄杓保持具６１を取り付けると、柄杓の着脱操作がし易くなる。
図３に示すように柄杓保持具６１は、ゴムや合成樹脂等の可撓性，柔軟性を有する材料で成形された断面Ｌ字状の板材からなり、薄肉に成形されたその一端側６１ａが左側面３５の内側に熱溶着や接着（縫着でもよい）で脱落しないように止着されている。
【００２０】
一方、図３の実線で示すように上記一端側６１ａに比し厚肉に成形された他端側６１ｂはバケツ本体２１の内方へ突出しているが、柄杓保持具６１は可撓性，柔軟性を有する材料で成形されているため、二点鎖線で示すように他端側６１ｂを左側面３５の内側に沿って矢印Ａ方向（下方）へ折り曲げることができるようになっている。そして、他端側６１ｂの底部と左側面３５の内側には、互いに接合可能なベルベット式ファスナ６３，６５が貼着されており、両ベルベット式ファスナ６３，６５を接合すると、矢印Ａ方向へ折り曲げられた他端側６１ｂが左側面３５の内側に沿って保持され、また、ベルベット式ファスナ６３，６５同士の接合を解除すると、図３の実線で示すように柄杓保持具６１の材料自体の特性で、他端側６１ｂが図３の実線で示す位置に戻るようになっている。
【００２１】
そして、上記他端側６１ｂに、出入れ口６７が開口し且つ奥部が幅広な略Ｃ字状に切り欠かれた切欠き６９が設けられている。
図２に示すように出入れ口６７は切欠き６９に向けて徐々に幅狭に成形され、斯かる形状によって柄杓７１の柄７３を出入れ口６７から切欠き６９に誘導し易くなっている。また、切欠き６９は、柄杓７１の柄７３よりも大径に、更にまた、出入れ口６７の最狭部は柄７３よりも幅狭に成形されており、出入れ口６７を変形させて柄７３を切欠き６９に出し入れできるようになっている。そして、切欠き６９に柄杓７３を保持させているとき、図２に示すように柄杓７１の掬い部７５はバケツ本体２１内に差し込まれてその底に当接する。
【００２２】
尚、図２に示すように本実施形態は、柄杓保持具６１を左側面３５の内側の上部の中央に配置したが、柄杓保持具６１をハンドル２９側に片寄らせて配置してもよいし、前，後側面３１，３３等に取り付けてもよい。また、切欠き６７を小径にして、柄７３を出入れ口６５から押圧し乍ら切欠き６７に保持させてもよい。
そして、図２及び図３の如く柄杓保持具６１が取り付く左側面３５には、当該柄杓保持具６１に対応して周縁部３９の上部中央に、上方に開口するＣ字状の切欠き７７が柄７３よりもやや大径に設けられており、図４の如く柄杓７１の柄７３を両切欠き７７，６９に保持させると、図３の如く柄７３を柄杓保持具６１の切欠き６９に保持させて柄杓７１を左側面３５（バケツ本体２１）の周縁部３９に立て掛けた場合に比し、柄杓７１をより斜めに低く保持することができ、姿勢を低くして（椅子に座って）釣りをする場合に柄杓７１が取り易い。
【００２３】
また、図５に示すように切欠き７７に柄７３を通して、柄杓７１をバケツ本体２１の左右方向に水平または底面方向へ斜めにして蓋体２５を閉じ、ファスナ４５の操作部４９を柄７３の近傍まで操作してファスナ４５を閉じれば、柄７３の大部分が収納でき、柄杓７１を差し込んだままバケツ５１が持ち運べるようになっている。
【００２４】
本実施形態はこのように構成されているから、釣場への移動時にバケツ５１を釣り具入れとして使用する場合、図５の如く柄杓保持具６１を矢印Ａ方向に折り曲げてベルベット式ファスナ６３，６５同士を接合しておけば、釣り具等の収納に当たり柄杓保持具６１が邪魔になることがない。
また、このとき、既述したように切欠き７７に柄７３を通して柄杓７１をバケツ本体２１の左右方向に水平または底面方向へ斜めにして蓋体２５を閉じ、ファスナ４５を柄７３の近傍まで閉めておけば、柄杓７１を差し込んだままバケツ５１が持ち運べる。
【００２５】
そして、釣場で撒き餌入れとして使用するには、例えば図２の如くファスナ４５を折り溝５３まで開け、蓋体２５の可動蓋２５ａを折り溝５３を境にヒンジ部材２７側へ谷折りしてフック５５をフック５７に係合した後、ベルベット式ファスナ６３，６５同士の接合を解除すれば、図３の実線で示すように柄杓保持具６１の他端側６１ｂがバケツ本体２１の内方に突出する。
【００２６】
この後、出入れ口６７を変形させて柄７３を切欠き６７に出し入れし乍ら、図３の如く柄７３を左側面３５の周縁部３９に立て掛けておけば、直ぐ使えるように柄杓７１が柄杓保持具６１で保持され、また、図４の如く柄７３を両切欠き７７，６９に保持させておけば、柄杓７１がより確実に保持されると共に、柄杓７１を更に斜めに保持されて、椅子に座って姿勢を低くして釣りをする場合に柄杓７１が取り易くなる。
【００２７】
そして、実釣後、図５の如く切欠き７７に柄７３を通して、柄杓７１をバケツ本体２１の左右方向に水平または底面方向へ斜めにして蓋体２５を閉じ、ファスナ４５を閉めれば、柄杓７１を差し込んだままバケツ５１が持ち運べることとなる。而も、柄杓保持具６１を矢印Ａ方向に折り曲げてベルベット式ファスナ６３，６５同士を接合しておけば、釣り具等の収納に当たり柄杓保持具６１が邪魔になることもない。
【００２８】
また、撒き餌をした後に、開いた可動蓋２５ａを開口部２３に被せて開口部２３が閉鎖されるが、ファスナ４５を閉めなくとも、スカート部５９がバケツ本体２１の上部外周を覆ってバケツ５１内への雨の浸入を防ぎ、また、風で煽られても、スカート部５９がバケツ本体２１の上部外周に引っ掛かって可動蓋２５ａが不用意に開くことを防止する。
【００２９】
このように本実施形態によれば、バケツ５１を撒き餌入れとして使用する場合、直ぐに柄杓７１が使えるようにこれを柄杓保持具６１で保持しておくことができ、また、釣り具入れとして使用する場合、柄杓保持具６１が邪魔になることがない。
更にまた、図４の如く実釣時に柄杓保持具６１の切欠き６９とバケツ本体２１側に設けた切欠き７７の両方に柄７３を通しておけば、柄杓７１が確実に保持できるし、図３の使用状態に比し柄杓７１を更に斜めに保持することができるため、椅子に座って姿勢を低くして釣りをする場合に柄杓７１が取り易いといった利点を有する。
【００３０】
そして、上記切欠き７７に柄７３を通し、ファスナ４５を閉めて蓋体２５を閉じれば、柄杓７１を差し込んだままバケツ５１を持ち運ぶことができる利点を有する。
【００３１】
尚、本実施形態では、柄杓保持具６１に対応して周縁部３９の上部中央に切欠き７７を設けたが、切欠き６７，７７に柄７３を同時に差し込むことができるのであれば、切欠き７７は必ずしも柄杓保持具６１に対応してその上部に設ける必要はない。
また、柄杓保持具６１を左側面３５の周縁部３９近傍の内側上部に設けたが、周縁部３９近傍でなく、例えば左側面３５の内側の中央部のやや上方等に設けることも可能である。
【００３２】
図６及び図７は請求項１及び請求項２に係るバケツの第二実施形態を示し、本実施形態は、バケツ本体の内側に取り付く柄杓保持具を上方へ折り曲げ可能としたもので、柄杓保持具を除くその他の構成は上記第一実施形態と同一であるため、それらには同一符号を付して構造説明は省略する。
図６に於て、６１−１は前記柄杓保持具６１と同位置（左側面３５の内側）に取り付く柄杓保持具で、当該柄杓保持具６１−１も、ゴムや合成樹脂等の可撓性，柔軟性を有する材料で成形された断面Ｌ字状の板材からなり、薄肉に成形されたその一端側６１ａ−１が左側面３５の内側に熱溶着や接着等で止着されている。
【００３３】
一方、上記一端側６１ａ−１に比し厚肉に成形された他端側６１ｂ−１はバケツ本体２１の内方へ突出し、当該他端側６１ｂ−１に出入れ口６７と切欠き６９が設けられている。そして、断面Ｌ字状に成形された柄杓保持具６１−１の角部に、斜め上方に向かって折曲用のスリット７９が設けられており、図示するように他端側６１ｂ−１は、当該スリット７９を介して上方（矢印Ｂ方向）へ折り曲げることができるようになっている。そして、他端側６１ｂ−１の上面と左側面３５側の周縁部３９の内側には、互いに接合可能なベルベット式ファスナ６３，６５が貼着されており、両ベルベット式ファスナ６３，６５を接合すると、矢印Ｂ方向へ折り曲げられた他端側６１ｂ−１が図７の如く左側面３５の内側に沿って保持され、このとき、柄杓保持具６１−１の切欠き６９は、左側面３５側の切欠き７７と一致するようになっている。
【００３４】
そして、ベルベット式ファスナ６３，６５同士の接合を解除すると、他端側６１ｂ−１は図６に示す位置に戻るが、このとき、既述したスリット７９を形成する面が所謂度当たり部８１となって、図６の如く他端側６１ｂ−１がバケツ本体２１の内方に突出した状態を維持する。
本実施形態に係るバケツ５１−１はこのように構成されているから、釣場への移動時にこれを釣り具入れとして使用する場合、図７の如く柄杓保持具６１−１を矢印Ｂ方向（上方）に折り曲げてベルベット式ファスナ６３，６５同士を接合しておけば、釣り具等の収納に当たり柄杓保持具６１−１が邪魔になることがない。
【００３５】
また、このとき、図７に示すように切欠き７７，６９に柄７３を通して柄杓７１をバケツ本体２１の左右方向に水平または底面方向へ斜めにして蓋体２５を閉じ、ファスナ４５を柄７３の近傍まで閉めておけば、柄杓７１を差し込んだままバケツ５１−１が持ち運べる。
そして、釣場で撒き餌入れとして使用するには、蓋体２５を開けた後、ベルベット式ファスナ６３，６５同士の接合を解除すれば、図６に示すようにスリット７９を形成する面が度当たり部８１となって、他端側６１ｂ−１がバケツ本体２１の内方に突出する。
【００３６】
この後、出入れ口６７を変形させて柄７３を切欠き６７に出し入れし乍ら、図６の如く柄７３を左側面３５の周縁部３９に立て掛けておけば、直ぐ使えるように柄杓７１が柄杓保持具６１−１で保持され、また、図示しないが第一実施形態の図４と同様、柄７３を両切欠き７７，６９に保持させておけば、柄杓７１がより確実に保持されると共に、柄杓７１を更に斜めに保持することができるため、椅子に座って姿勢を低くして釣りをする場合に柄杓７１が取り易くなる。
【００３７】
そして、実釣後、柄杓保持具６１−１を矢印Ｂ方向に折り曲げてベルベット式ファスナ６３，６５同士を接合し、切欠き７７，６９に柄７３を通して柄杓７１をバケツ本体２１の左右方向に水平または底面方向へ斜めにして蓋体２５を閉じ、ファスナ４５を閉めれば、柄杓７１を差し込んだままバケツ５１−１が持ち運べる。而も、柄杓保持具６１−１は図７の如く左側面３５の内側に沿って折り曲げられているため、釣り具等の収納時に柄杓保持具６１−１が邪魔になることもない。
【００３８】
このように本実施形態によっても、バケツ５１を撒き餌入れとして使用する場合、直ぐに柄杓７１が使えるようにこれを柄杓保持具６１−１で保持しておくことができ、また、釣り具入れとして使用する場合、柄杓保持具６１−１が邪魔になることがない等、第一実施形態と同様、所期の目的を達成することが可能である。
尚、上記第一，第二実施形態では、蓋体２５をヒンジ部材２７を介してバケツ本体２１に連結したが、バケツ本体に対して蓋体がバックル等の留め具を介して着脱自在なバケツに本発明を適用することも可能である。
【００３９】
また、第一，第二実施形態では、蓋体２５を半開状態にして柄杓保持具６１，６１−１を使用可能としたが、例えば蓋体２５を１／３程開いた状態で柄杓保持具６１，６１−１を使用することができるし、柄杓保持具は板状でなくてもよく、その形状も上記実施形態に限定されるものではない。
更にまた、柄杓保持具は上方，下方以外の方向（例えば左右方向）に折り曲げられるようにしてもよい。
【００４０】
【発明の効果】
以上述べたように、各請求項に係る発明によれば、バケツを撒き餌入れとして使用する場合、直ぐに柄杓が使えるようにこれを柄杓保持具で保持しておくことができ、また、釣り具入れとして使用する場合に柄杓保持具が邪魔になることがない。
【００４１】
そして、請求項２に係る発明によれば、柄杓保持具の切欠きとバケツ本体側に設けた切欠きの両方に柄を通しておけば、柄杓をより確実に保持しておくことができる。
また、バケツ本体に設けた切欠きに柄を通して蓋体を閉じれば、柄杓を差し込んだままバケツを持ち運ぶことができる利点を有する。
【図面の簡単な説明】
【図１】蓋体を閉じた請求項１及び請求項２の第一実施形態に係るバケツの全体斜視図である。
【図２】蓋体を半折りしたバケツの使用状態の全体斜視図である。
【図３】蓋体を半折りしたバケツの使用状態の要部拡大断面図である。
【図４】蓋体を半折りしたバケツの使用状態の要部拡大断面図である。
【図５】蓋体を閉じたバケツの要部拡大断面図である。
【図６】蓋体を半折りした請求項１及び請求項２の第二実施形態に係るバケツの使用状態の要部拡大断面図である。
【図７】蓋体を閉じたバケツの要部拡大断面図である。
【図８】補助蓋を閉じた従来のバケツの全体斜視図である。
【図９】補助蓋の可動蓋を開けたバケツの全体斜視図である。
【図１０】図８のバケツの使用状態を示す側面図である。
【符号の説明】
２１  バケツ本体
２３  開口部
２５  蓋体
２５ａ    可動蓋
２５ｂ  固定蓋
４５  ファスナ
５１，５１−１  バケツ
５３  折り溝
５５，５７  フック
５９  スカート部
６１，６１−１  柄杓保持具
６７  出入れ口
６９，７７  切欠き
７１  柄杓
７３  柄
【図１】
2004290004.tif 000003
【図２】
2004290004.tif 000004
【図３】
2004290004.tif 000005
【図４】
2004290004.tif 000006
【図５】
2004290004.tif 000007
【図６】
2004290004.tif 000008
【図７】
2004290004.tif 000009
【図８】
2004290004.tif 000010
【図９】
2004290004.tif 000011
【図１０】
2004290004.tif 000012